(57)【要約】【課題】拭き上げ作業及び別途の処理剤やすすぎが不要であり、自然乾燥によっても水垢汚れが付着しにくい高水切性洗剤を提供する。【解決手段】（Ａ）成分：アルキルポリグルコシドと、（Ｂ）成分：両性界面活性剤と、（Ｃ）成分：非イオン界面活性剤と、（Ｄ）成分：カチオン化セルロースと、（Ｅ）成分：シリコーンと、を含有し、｛（Ａ）成分＋（Ｂ）成分｝／（Ｅ）成分で表される質量比Ｒ１が０．５〜５０であり、（Ｄ）成分／（Ｅ）成分で表される質量比Ｒ２が０．０５〜５であること、を特徴とする高水切性洗剤。【選択図】なし【特許請求の範囲】
【請求項１】
（Ａ）成分：アルキルポリグルコシドと、
（Ｂ）成分：両性界面活性剤と、
（Ｃ）成分：非イオン界面活性剤と、
（Ｄ）成分：カチオン化セルロースと、
（Ｅ）成分：シリコーンと、
を含有し、
｛（Ａ）成分＋（Ｂ）成分｝／（Ｅ）成分で表される質量比Ｒ１が０．５〜５０であり、
（Ｄ）成分／（Ｅ）成分で表される質量比Ｒ２が０．０５〜５であること、
を特徴とする高水切性洗剤。
【請求項２】
｛（Ａ）成分＋（Ｂ）成分｝／（Ｅ）成分で表される質量比Ｒ１が１〜１５であること、
を特徴とする請求項１に記載の高水切性洗剤。
【請求項３】
（Ｄ）成分／（Ｅ）成分で表される質量比Ｒ２が０．０５〜１．５であること、
を特徴とする請求項１又は２に記載の高水切性洗剤。
【請求項４】
粘度が５〜５００ｍＰａ・ｓであること、
を特徴とする請求項１〜３のうちのいずれかに記載の高水切性洗剤。
【発明の詳細な説明】
【技術分野】
【０００１】
本発明は、特にプラスチック製品（例えば家庭内における水まわり設備等）及び金属製品等の種々の材質の被洗浄物用の洗剤に関する。
【背景技術】
【０００２】
従来から、例えば浴室、浴槽及びシンク等の水まわり設備においては、蛇口やシャワーからの水の飛び散り等により、設備表面に水滴等が残留し易く、そのまま放置すると水垢汚れが付着する。浴室の場合には、湿気がこもり、カビ等の発生につながり易く、また、シンクの場合は、残留する水滴が付着時の形状を保ちながら徐々に乾燥し小さいリング状の跡がつき易くなる。また、自動車を洗浄した後に水滴等が残ったまま自然乾燥させると、車体表面に水垢汚れが付着する（いわゆるウォータースポット）。
【０００３】
このような問題を解消するためには、浴室、浴槽及びシンク等の水まわり設備や車体の表面の水分を綺麗に拭き取る必要があり、かなりの重労働が強いられ、拭き上げ作業の軽減が求められている。このことは、ホテル等の宿泊施設や自宅やガソリンスタンド等の洗車場においては、大きな問題である。
【０００４】
これに関連し、例えば特許文献１（特開２００３−１８３６９４号公報）には、特定のカチオン性共重合ポリマーを含有する速乾性付与剤が開示され、特許文献２（特開２００２−２６５９９６号公報）には、特定の界面活性剤とソイルリリースポリマーを含有する、自動車の塗装表面等の疎水性硬表面の洗浄防汚処理剤が開示されている。また、特許文献３（特開２００７−３０８５５６号公報）には、水まわりの硬質表面に対して良好な乾燥促進効果を付与でき、液体安定性に優れた洗浄剤が開示されている。
【先行技術文献】
【特許文献】
【０００５】
【特許文献１】特開２００３−１８３６９４号公報
【特許文献２】特開２００２−２６５９９６号公報
【特許文献３】特開２００７−３０８５５６号公報
【発明の開示】
【発明が解決しようとする課題】
【０００６】
しかしながら、上記特許文献１及び２には、設備や車体の表面に対して乾燥を促進する効果は示されておらず、素早く乾燥させるための処理剤が必要とされており、作業性に劣る。また、上記特許文献３では、洗浄剤を表面に塗布した後にすすぎを行うことが必要とされており、これも作業性に劣ると言わざるを得ない。
【０００７】
そこで、本発明の目的は、拭き上げ作業及び別途の処理剤やすすぎが不要であり、自然乾燥によっても水垢汚れが付着しにくい高水切性洗剤を提供することにある。
【課題を解決するための手段】
【０００８】
上記の目的を達成すべく、本発明者らが鋭意実験を繰り返して検討を行った結果、拭き上げ作業及び別途の処理剤やすすぎが不要であり、自然乾燥によっても水垢汚れが付着しにくい高水切性洗剤を実現するためには、特定の成分を混合した処方を採用することが好適であることを見出し、本発明を完成するに至った。
【０００９】
即ち、本発明は、
（Ａ）成分：アルキルポリグルコシドと、
（Ｂ）成分：両性界面活性剤と、
（Ｃ）成分：非イオン界面活性剤と、
（Ｄ）成分：カチオン化セルロースと、
（Ｅ）成分：シリコーンと、
を含有し、
｛（Ａ）成分＋（Ｂ）成分｝／（Ｅ）成分で表される質量比Ｒ１が０．５〜５０であり、
（Ｄ）成分／（Ｅ）成分で表される質量比Ｒ２が０．０５〜５であること、
を特徴とする高水切性洗剤を提供する。
【００１０】
このような構成を有する本発明の高水切洗剤（洗浄剤）によれば、アルキルポリグルコシド、両性界面活性剤、非イオン界面活性剤、カチオン化セルロース及びオルガノポリシロキサンの組合せにより、拭き上げ作業が不要で、別途の処理剤を使用する必要もすすぎを実施する必要もなく、自然乾燥させても水垢汚れが付着しにくい洗浄が可能となる。
【００１１】
上記の本発明の高水切性洗剤においては、｛（Ａ）成分＋（Ｂ）成分｝／（Ｅ）成分で表される質量比Ｒ１が１〜１５であること、が好ましい。
【００１２】
上記の本発明の高水切性洗剤においては、（Ｄ）成分／（Ｅ）成分で表される質量比Ｒ２が０．０５〜１．５であること、が好ましい。
【００１３】
上記の本発明の高水切性洗剤、粘度が５〜５００ｍＰａ・ｓであること、が好ましい。
【発明の効果】
【００１４】
本発明によれば、拭き上げ作業及び別途の処理剤やすすぎが不要であり、自然乾燥によっても水垢汚れが付着しにくい高水切性洗剤を提供することができる。
【発明を実施するための形態】
【００１５】
以下、本発明の高水切性洗剤の代表的な実施形態について詳細に説明する。本実施形態の高水切性洗剤は、液体乃至は流体であり、アルキルポリグルコシド、両性界面活性剤、非イオン界面活性剤、カチオン化セルロース及びシリコーンを含むことを特徴とするものである。
【００１６】
ここで、本発明の高水切性洗剤を適用可能な被洗浄物について説明する。本発明の高水切性洗剤で洗浄できる被洗浄物は、例えば各種プラスチック（熱可塑性樹脂、熱硬化性樹脂又はＦＲＰ等）、ガラス、セラミックス、石、又は金属や合金等で構成された硬質の表面を有するものである。かかる被洗浄物としては、例えば浴室、浴槽及びシンク等の水まわりの設備、並びに、自動車のボディ（車体）等が挙げられる。
【００１７】
１．各成分について
（Ａ）成分：アルキルポリグルコシド
アルキルポリグルコシドとしては、アルキル基部分の炭素原子数が８〜１６のアルキルポリグルコシドが好ましく、アルキル基部分の炭素原子数が１０〜１４のアルキルポリグルコシドがより好ましい。
【００１８】
なかでも、他の成分と協働して本発明の効果をより確実に発揮でき、（Ｅ）成分：シリコーンの乳化・可溶化及び液体安定性の確保という観点から、アルキルポリグルコシドとしては、ラウリルグルコシド、ポリオキシエチレン（ＥＯ平均付加モル数２０モル）硬化ヒマシ油、ポリオキシエチレン（ＥＯ平均付加モル数６モル）ステアリルエーテル又はラウリン酸デカグリセリルが好ましい。
【００１９】
（Ｂ）成分：両性界面活性剤
両性界面活性剤は、高水切性洗剤に配合させることで、泡立ち性を高めることが可能になるととも高水切性洗剤の粘度を高めて取り扱い性を高めることが可能になる。
【００２０】
かかる両性界面活性剤としては、例えば、ラウリン酸アミドプロピルジメチルアミンオキシド等のアミドアミンオキシド型両性界面活性剤；ヤシ油脂肪酸アミドプロピルベタイン、ラウリン酸アミドプロピルベタイン、イソステアリン酸アミドプロピルベタイン、リノレイン酸アミドプロピル、パーム核脂肪酸アミドプロピルベタイン等のアミドプロピルベタイン型両性界面活性剤を含むアミドアルキルベタイン型両性界面活性剤；Ｎ−ヤシ油脂肪酸アシル−Ｎ’−カルボキシエチル−Ｎ’−ヒドロキシエチルエチレンジアミンナトリウム、２−アルキル−Ｎ−カルボキシメチル−Ｎ−ヒドロキシエチルイミダゾリニウムベタイン、ウンデシル−Ｎ−ヒドロキシエチル−Ｎ−カルボキシメチルイミダゾリニウムベタイン等のイミダゾリン型両性界面活性剤；Ｎ−アルキル−Ｎ，Ｎ−ジメチルアンモニウム−Ｎ−プロピルスルホン酸ナトリウム、Ｎ−アルキル−Ｎ，Ｎ−ジメチルアンモニウム−Ｎ−（２−ヒドロキシプロピル）スルホン酸ナトリウム、Ｎ−脂肪酸アミドプロピル−Ｎ，Ｎ−ジメチルアンモニウム−Ｎ−（２−ヒドロキシプロピル）スルホン酸ナトリウム等のスルホベタイン型両性界面活性剤等が挙げられる。
【００２１】
なかでも、他の成分と協働して本発明の効果をより確実に発揮でき、特に（Ｅ）成分：シリコーンの乳化・可溶化及び液体安定性の確保という観点から、ラウリン酸アミドプロピルジメチルアミンオキシド等のアミドアミンオキシド型両性界面活性剤が好ましい。
【００２２】
（Ｃ）成分：非イオン界面活性剤
非イオン界面活性剤としては、例えば、ポリオキシエチレンアルキルエーテル、ポリオキシエチレンアルキルフェニルエーテル、ポリオキシエチレンポリスチリルフェニルエーテル、ポリオキシエチレンポリオキシプロピレングリコール、ポリオキシエチレンポリオキシプロピレンアルキルエーテル、多価アルコール脂肪酸部分エステル、ポリオキシエチレン多価アルコール脂肪酸部分エステル、ポリオキシエチレン脂肪酸モノ（ジ）エステル、ポリグリセリン脂肪酸エステル、ポリオキシエチレン化ヒマシ油、脂肪酸ジエタノールアミド、ポリオキシエチレン脂肪酸モノエタノールアミド、ポリオキシエチレンアルキルアミン、トリエタノールアミン脂肪酸部分エステル、トリアルキルアミンオキサイド等が挙げられる。
【００２３】
なかでも、他の成分と協働して本発明の効果をより確実に発揮でき、特に（Ｅ）成分：シリコーンの乳化・可溶化及び液体安定性の確保という観点から、脂肪酸ジエタノールアミド及びポリオキシエチレン脂肪酸モノエタノールアミドの組合せを用いるのが好ましい。
【００２４】
（Ｄ）成分：カチオン化セルロース
カチオン化セルロースは、主として増粘剤として機能するものである。カチオン化セルロースとしては市販品を用いることができ、具体的な例としては、レオガードＬＰ、ＧＰ、ＭＧＰ、ＫＧＰ、ＸＥ−５１１Ｋ（ライオン（株）製）、ＵＣＡＲＥ  ＬＲ−３０Ｍ、ＪＲ−４００、ＪＲ−３０Ｍ（ダウケミカル日本（株）製）、カチナールＨＣ−１００（東邦化学工業（株）製）等が挙げられる。
【００２５】
但し、カチオン化セルロースとしては、Ｎ含有量１〜２％で、特に１％水溶液の粘度が５００〜５，０００ｍＰａ・ｓのものを用いるのが、液体流動性及び洗浄作業性という観点から、好ましい。
【００２６】
（Ｅ）成分：シリコーン
シリコーンは撥水剤成分であり、被洗浄物に接触した場合に撥水性のコーティング膜を形成し得るものであり、種々のシリコーンを用いることができる。したがって、被洗浄物の表面に対して吸着性を示す基（吸着性基）を側鎖及び／又は末端に有するシリコーンを例示できる。かかる吸着性基としては、アミノ基（−ＮＨ２基）、シラン基（−ＳｉＨ３基）、ポリエーテル基（−（Ｃ２Ｈ４Ｏ）ａ（Ｃ３Ｈ６Ｏ）ｂＲ基）等を挙げることができ、その吸着性を示す基は、シリコーンの側鎖、両末端、片末端、側鎖と両末端の両方に導入することができる。
【００２７】
かかる吸着性基を有するシリコーンとしては、具体的には、例えば、アミノ変性シリコーン、シラン変性シリコーン、フッ素ポリエーテル共変性シリコーン等が挙げられる。これらのシリコーンには、吸着性を示す基以外にも、アルコキシ基等の他の有機基を有していてもよい。また、シリコーンの骨格は、オルガノポリシロキサンであり、直鎖状ジオルガノポリシロキサンが好ましい。さらに、液状のシリコーンが好ましい。
【００２８】
このような変性シリコーンとしては、市販品として入手可能である。例えば、ＳＬＪ１３５８、ＳＬＪ１５０８Ｍ、Ｌ６５６、ＷＲ１３００、ＷＲ１１００、ＷＲ１６００、ＷＴ１２５０、ＷＴ１６５０（以上、ワッカーケミカルズ社製）、ＫＭ９０７、ＫＦ−３９３、ＫＦ−８５７、ＫＦ−８５８、ＫＦ−８５９、ＫＦ−８６０、ＫＦ−８６１、ＫＦ−８６２、ＫＦ−８６４、ＫＦ−８６５、ＫＦ−８６７、ＫＦ−８６８、ＫＦ−８６９、ＫＦ−８８０、ＫＦ−８００１、ＫＦ−８００２、ＫＦ−８００３、ＫＦ−８００４、ＫＦ−８００５、ＫＦ−８０１２、Ｘ−２２−１６１ＡＳ、Ｘ−２２−１６１Ａ、Ｘ−２２−１６１Ｂ、Ｘ−２２−３９３９Ａ（以上、信越化学工業（株）製）、ＢＹ１６−８９１（東レダウ・コーニング（株）製）等が挙げられる。また、分子の末端にシラン基を有するシリコーンとしては、例えば、ＫＰＮ−３５０４（信越化学工業（株）製）が挙げられる。フッ素ポリエーテル共変性シリコーンとしては、例えば、ＦＰＤ−４６６８（信越化学工業（株）製）が挙げられる。
【００２９】
ここで、上記したように、前記シリコーンがアミノ変性シリコーン及びジメチルシリコーンを含むことが好ましい。このような構成によれば、アミノ変性シリコーンのアミノ基によって溶解性が向上し、ジメチルシリコーンとの組合せにより、当該溶解性が安定し、安定的に被洗浄物の表面に撥水性及び防汚性を付与することができる。
【００３０】
（Ｆ）その他の任意成分
本発明の高水切性洗剤は、更に、通常の洗浄剤組成物に用いられる成分、例えば香料、油性成分、殺菌剤、抗菌剤、防腐剤、抗炎症剤、キレート剤、塩類、パール化剤、スクラブ剤、冷感剤、色素、紫外線吸収剤及び酸化防止剤等を、本発明の効果を損なわない範囲で含んでよい。
【００３１】
香料は天然香料であっても合成香料であってもよい。天然香料及び合成香料としては、例えばシネオール、カンファー、ピネン、リモネン、ターピネオール、リナロール、酢酸リナロール、ネロール、酢酸ネリル、カルバクロール、チモール、シトロネロール、シトラール、ゲラニオール、サンタロール、ボルネオール、カルボン、メチルイオノン、サリチル酸ヘキシル、イオノン、ヘディオン、フェノキシエタノール、アンバーコア、セドリルメチルエーテル、シンナミックアルデヒド、酢酸ベンジル、オイゲノール、セドレン、酢酸ボルニル、メントール、メントン、メチルチャビコール、サイメン、プレゴール、アネトール、シヨン、ラバンジュロール、セージオイル、タイムオイル、バジルオイル、ペパーミントオイル、ハッカオイル、ローズマリーオイル、ユーカリプタスオイル、マジョラムオイルセージ、シトロネラオイル、シダーウッドオイル、スイートオレンジオイル、ベルガモットオイル、ラベンダーオイル、シンナモンオイル、レモンオイル、ライムオイル、ひのきオイル等が挙げられる。
【００３２】
抗菌剤・防腐剤としては、例えばフェノキシエタノール、安息香酸、サリチル酸、ソルビン酸、パラオキシ安息香酸エステル及びヘキサクロロフェン等が挙げられる。
【００３３】
また、溶媒としての水（熱湯を含む。）やｐＨ調整剤としての乳酸水溶液等を含んでいてもよい。その他のｐＨ調整剤としては、例えば、炭酸水素ナトリウム、炭酸ナトリウム、水酸化カルシウム、ケイ酸ナトリウム、酒石酸ナトリウム、酒石酸、酢酸、酢酸ナトリウム、グルコン酸ナトリウム等が挙げられ、酵素としては、プロテアーゼ、リパーゼ、アミラーゼ、ペクチナーゼ、セルラーゼ、リゾチーム、クエン酸ナトリウム、クエン酸等が挙げられる。
【００３４】
着色料を含んでもよい。例えば、水溶性の法定色素が好ましく、赤色２号、赤色３号、赤色１０２号、赤色１０４号の（１）、赤色１０５号の（１）、赤色１０６号、黄色４号、黄色５号、青色１号、青色２号、緑色３号、赤色２０１号、赤色２０５号、赤色２１３号、赤色２１４号、赤色２１９号、赤色２２７号、赤色２３０号の（１）、赤色２３０号の（２）、赤色２３１号、赤色２３２号、橙色２０７号、黄色２０２号の（２）、黄色２０３号、緑色２０５号、青色２０２号、青色２０３号、青色２０５号、褐色２０１号、赤色４０１号、赤色２０５号、赤色５０３号、赤色５０４号、赤色５０６号、橙色４０２号、黄色４０２号、黄色４０３号の（１）、黄色４０６号、黄色４０７号、緑色４０１号、緑色４０２号、紫色４０１号、黒色４０１号などが挙げられる。これらを組み合わせて色々な色で用いてもよい。色素は、汗染み防止剤組成物を継続使用する場合には、撥水効果の寿命を視覚的に認識できることから配合すべき添加剤といえる。
【００３５】
２．配合割合
ここで、上記（Ａ）成分〜（Ｅ）成分の配合割合は、本発明の効果を損なわない範囲で適宜決定すればよいが、本発明者らは、鋭意実験を繰り返した結果、｛（Ａ）成分＋（Ｂ）成分｝／（Ｅ）成分で表される質量比Ｒ１が０．５〜５０であるのが好ましいことを見出した。
【００３６】
質量比Ｒ１が０．５以上であれば、洗浄性に優れるというメリットがある。また、質量比Ｒ１が５０以下であれば、泡切れが良いというメリットがある。
【００３７】
更に、質量比Ｒ１が１以上であれば、洗浄性に優れ、長期的な液体安定性に優れるというメリットがあり更に好ましい。また、質量比Ｒ１が１５以下であれば、泡切れが良く、初期の水切れ性向上というメリットがあり更に好ましい。
【００３８】
加えて、本発明者らは、鋭意実験を繰り返した結果、（Ｄ）成分／（Ｅ）成分で表される質量比Ｒ２が０．０５〜５であることが好ましいことを見出した。
【００３９】
質量比Ｒ２が０．０５以上であれば、水滴残りが少ないというメリットがある。また、質量比Ｒ２が５以下であれば、水切れ性が良くなるというメリットがある。更に、質量比Ｒ２が１．５以下であれば、水切れ速度が顕著に向上するというメリットがあり更に好ましい。
【００４０】
上記（Ａ）成分〜（Ｅ）成分の配合割合は、上記の質量比Ｒ１及びＲ２の条件を満たすのが好ましく、更には、下記の範囲で（重量％）、合計で１００重量％であるのが好ましい。なお、本発明の高水切性洗剤は、無色〜淡黄色の透明粘性液であり、そのｐＨは、７．０±１．０であるのが好ましい。
（Ａ）成分：アルキルポリグルコシド            １．０〜５．０
（Ｂ）成分：両性界面活性剤                    １．０〜５．０
（Ｃ）成分：非イオン界面活性剤                １．０〜２．０
（Ｄ）成分：カチオン化セルロース              ０．０５〜０．７
（Ｅ）成分：シリコーン                        ０．３〜２．０
（Ｆ）その他の成分
オレンジオイル                          ０〜１．０
フェノキシエタノール                    ０．２〜０．５
ｐＨ調整剤（１０％乳酸水溶液）          ０．１〜１．０
キレート剤（ニトリロ三酢酸三ナトリウム）０〜１．０
水（熱湯含む）                          残部
【００４１】
以上、本発明の高水切性洗剤について説明したが、本発明はこれらのみに限定されるものではなく、種々の設計変更が可能である。かかる設計変更後の組成物も、また、本発明の効果を奏する以上は本発明の技術的範囲に含まれる。以下、実施例を用いて本発明の高水切性洗剤をより詳細に説明する。
【実施例】
【００４２】
本発明の高水切性洗剤の効果を評価するため、下記の表に示す成分・配合で高水切性洗剤を調製し、以下に説明する評価試験を行った。なお、表における成分の配合割合の合計は１００重量％である。
具体的には、表１及び２に示す各成分から、１Ｌビーカーに、（Ａ）成分のラウリルグルコシド、（Ｂ）成分のラウラミドプロピルアミンオキシド、（Ｃ）成分のモディファイドヤシ油脂肪酸ジエタノールアミド、（Ｅ）成分のアミノ変性シリコーンオイルをそれぞれ入れ、機械式撹拌機（ＡＳ  ＯＮＥ社製）でよく混合して撹拌した。混合終了後、水を適量加えて希釈した。続いて、（Ｄ）成分のカチオン化セルロースを分散して入れ、よく撹拌し溶解させた。溶解終了後、その他の任意成分（香料、防腐剤、キレート剤、溶剤、ｐＨ調整剤など）を適量添加した後、全体量が１００重量％になるように水（精製水）を加え、更によく撹拌し、各試料を調製した。
【００４３】
各試料のｐＨを、ガラス電極式ｐＨメーター（株式会社堀場製作所製の商品名「Ｆ−５２」）を用いて測定した。測定は、ＪＩＳ  Ｚ  ８８０２：２０１１「ｐＨ測定方法」に準拠して行った。その後、各試料を用いて、金属については自動車のボディを用いて洗車し、プラスチックについては家庭用のＦＲＰ材質の浴槽を用いて洗浄し、高水切性（水切れ効果）として、水切れ性の速さ及び水滴残りの量を目視により評価した。なお、良好である場合を「◎」、やや良好である場合を「〇」、やや不良である場合を「△」、不良である場合を「×」と評価した。評価結果を表１及び２に示した。
【００４４】
【表１】
2020007437.tif 000002
【表２】
2020007437.tif 000003
【００４５】
表１及び２に示す結果から、自動車のボディ、ＦＲＰ材質の浴槽共に（Ｄ）成分／（Ｅ）成分で表される質量比Ｒ２が０．０５〜１．５の範囲内の時に水切れ性の速さが早く、水滴残りの量が少ないということがわかる。